【事件の表示】
　特願２０００−　１２０９０「パチンコ機」拒絶査定不服審判事件〔平成１３年　７月２４日出願公開、特開２００１−１９８２９２〕について、次のとおり審決する。
【結　論】
　本件審判の請求は、成り立たない。
【理　由】
１．手続の経緯
　本願は、平成１２年１月２０日に特許出願したものであって、平成１５年５月２３日付けで拒絶査定がなされ、これに対し、同年６月２４日に拒絶査定に対する審判請求がなされるとともに、同日付けで手続補正がなされたものである。
　　　　　　　　　　　　　　　　　　　　　　　　　　　　　　　　　
２．平成１５年６月２４日付けの手続補正（以下、「本件補正」という。）について
　　　　　　　　　　　　　　　　　　　　　　　　　　　　　　　　　
［補正却下の決定の結論］　
　平成１５年６月２４日付けの手続補正を却下する。
　　　　　　　　　　　　　　　　　　　　　　　　　　　　　　　　　
［理由］
　本件補正により、特許請求の範囲の請求項１は、
「図柄を変動表示する図柄表示装置の複数の表示部での停止図柄が所定の条件を満たした場合に、図柄表示装置での図柄変動時間を通常時の長さにする第１の状態から図柄変動時間を短くする第２の状態に切り換える遊技切換手段と、前記図柄表示装置の複数の表示部での各停止図柄が同一となる大当たり発生の際に、大入賞口を開放する大当たり状態を提供する大当たり遊技手段と、前記大当たり発生の際に、大当たり図柄停止から最初の大入賞口の開放前までに前記大当たりの発生を告知する情報表示を行う表示手段とを備えたパチンコ機において、
　前記第２の状態から前記大当たりが発生した場合の前記表示手段での情報表示の時間を、前記第１の状態から前記大当たりが発生した場合の前記表示手段での情報表示の時間よりも短くしたことを特徴とするパチンコ機。」と補正された。
　　　　　　　　　　　　　　　　　　　　　　　　　　　　　　　　　
　上記補正は、請求項１に記載した発明を特定するために必要な事項である「図柄が所定の条件を満たした場合」について、「
図柄を変動表示する図柄表示装置の複数の表示部での停止
の複数の表示部
各
同一となる
前記大当たり発生の際に、大当たり図柄停止から最初の
まで
発生を告知する
パチンコ
が発生し
　そこで、本件補正後の前記請求項１に記載された発明（以下、「本願補正発明」という。）が特許出願の際独立して特許を受けることができるものであるか（平成１５年改正前の特許法第１７条の２第５項において準用する同法第１２６条第４項の規定に適合するか）について以下に検討する。
　　　　　　　　　　　　　　　　　　　　　　　　　　　　　　　　　
（１）引用発明
　引用刊行物：特開平１０−１６５５９５号公報
　原査定の拒絶の理由に引用された、本願の出願前に頒布された刊行物である上記の刊行物には次の発明が記載されている。
　　　　　　　　　　　　　　　　　　　　　　　　　　　　　　　　　
　特開平１０−１６５５９５号公報（以下、「引用例」という。）には以下の記載がある。
a．「複数図柄を変動表示可能な図柄表示部を有し、これら複数の図柄には大当たり図柄である特定図柄と非特定図柄が含まれ、それら特定図柄と非特定図柄の何れかが確定図柄として図柄表示部に表示されると特別遊技状態を生起し、確定図柄が特定図柄のときには、特別遊技状態が終了後に遊技者にとって有利となる有利状態を生起する遊技機であって、前記特別遊技状態が生起するとき、図柄表示部に、確定図柄と該確定図柄との相違を識別できない程度に相違する大当たり図柄を一旦停止表示して特別遊技状態を生起し、その特別遊技状態が終了後に有利状態となったときには、有利状態でないときと異なる態様を奏することを特徴とする遊技機。」（特許請求の範囲の請求項１）
b．「図１（正面図）は遊技機としてのパチンコ機１を示し、このパチンコ機１は、・・・」（段落【０００８】）
c．「判定カウンタＨｃで大当たりと判定されると、後述の図柄表示を行った後に、大当たり（特別遊技状態）が生起して、大入賞口３０の開閉扉３０ａをｔ秒間、開成を維持するか、遊技球がａ個入賞すると閉成し、前記開閉扉３０ａが開成中に、大入賞口３０内に設けられている特定領域（図示略）を遊技球が通過すると、大入賞口３０が再度開成し、この動作を最大Ｘ回行う。従って、遊技者は多量の賞品球を得ることができる。」（段落【００１３】）
d．「尚、前記「特別遊技状態（大当たり）」と判定されると、図柄表示部Ｌ１、Ｌ２、Ｌ３には同じ図柄を揃える大当たり図柄（「０００」〜「ＥＥＥ」）を表示し、これらの大当たりの確定図柄が「３３３」「５５５」「７７７」「ＡＡＡ」を特定図柄での大当たりといい、その他の確定図柄（「０００」「１１１」「２２２」「４４４」「６６６」「８８８」「９９９」「ＢＢＢ」「ＣＣＣ」「ＤＤＤ」「ＥＥＥ」）での大当たりの場合を非特定図柄での大当たりという。又、前記普通カウンタＦｃ、判定カウンタＨｃは電源投入時には低確率（通常状態）に設定してあり、大当たりが生起し、確定図柄が特定図柄であるときには、大当たりが終了後、遊技者にとって有利な有利状態（当たりと大当たりを高確率で生起可能）にする。」（段落【００１４】）
e．「次に、図柄表示部Ｌ１〜Ｌ３の図柄変動の態様について、大当たりとなる図柄の表示態様について・・・説明する。
（１）遊技球が普通電動役物５に入賞すると、初期画面（ａ）から、図柄表示部Ｌ１〜Ｌ３は変動表示を開始する（ｂ）。
（２）そして、所定時間経過後に、図柄表示部Ｌ１の図柄が一旦停止表示され（ｃ）、その後、図柄表示部Ｌ１の図柄「４」は上変動（ｄ）、下変動（ｅ）を継続表示して、図柄「４」が確定表示でない旨を示す。
（３）続いて、図柄表示部Ｌ２の図柄を表示するが、外れのときには図柄選定カウンタＺｃで選定された図柄表示部Ｌ１の図柄と異なる図柄を表示すると共に、図柄表示部Ｌ３にも任意の図柄を表示する。
（４）一方、大当たりの前提となるリーチのときには、図柄選定カウンタＺｃによって選定された図柄「４」を図柄表示部Ｌ２に一旦停止表示し、その後、前記（ｄ）（ｅ）と同様に上下動表示を継続して（ｆ）、図柄「４」が確定表示でない旨を示す。
（５）次に、変動中の図柄表示部Ｌ３に大当たり図柄「４」をｔ１（＝０．４９）秒間、一旦停止表示する（ｇ）。この図柄表示部Ｌ１、Ｌ２、Ｌ３の「４、４、４」（非特定図柄の大当たり）の表示によって、遊技者は特別遊技状態（大当たり）が生起したことが判るが、この図柄が確定図柄であることを必ずしも意味しない。
（６）その後、図柄表示部Ｌ１、Ｌ２、Ｌ３には、「５、５、５」（特定図柄の大当たりで、後述する条件で確定図柄）をｔ２（＝０．５１）秒間、一旦停止表示し（ｈ）、次に、「６、６、６」（非特定図柄の大当たり）をｔ３（＝０．４９）秒間、一旦停止表示（ｉ）、次に、「７、７、７」（特定図柄の大当たり）をｔ４（＝０．４９）秒間、一旦停止表示する（ｊ）。
（７）そして、図柄表示部Ｌ１、Ｌ２、Ｌ３を含む特別図柄表示部ＬAには、特賞デモ図柄として「おめでとう」を表示すると共に、飾りランプを点灯して大当たりが生起したことを遊技者に知らせる。」（段落【００１５】−【００１６】）
f．「・・・大当たり（特別遊技状態）が終了した時点において、次回以降の特別図柄の変動表示記憶がある（記憶ランプＬRに点灯）ときには、大当たり時の特賞デモ図柄表示の終了と共に、即座に図柄表示部Ｌ１、Ｌ２、Ｌ３の図柄変動を行う。・・・」（段落【００２０】）    
　　　　　　　　　　　　　　　　　　　　　　　　　　　　　　　　　
　上記の記載によれば、引用例（特開平１０−１６５５９５号公報）には、以下の発明（以下、「引用発明」という）が記載されていると認められる。
「複数図柄を変動表示可能な図柄表示部を有し、これら複数の図柄には大当たり図柄である特定図柄と非特定図柄が含まれ、それら特定図柄と非特定図柄の何れかが確定図柄として図柄表示部に表示されると特別遊技状態を生起し、確定図柄が特定図柄のときには、特別遊技状態が終了後に遊技者にとって有利となる有利状態を生起し、前記特別遊技状態が生起するとき、図柄表示部に、確定図柄と該確定図柄との相違を識別できない程度に相違する大当たり図柄を一旦停止表示して特別遊技状態を生起し、その特別遊技状態が終了後に有利状態となったときには、有利状態でないときと異なる態様を奏する遊技機であって、前記「特別遊技状態（大当たり）」と判定されると、図柄表示部Ｌ１、Ｌ２、Ｌ３には同じ図柄を揃える大当たり図柄（「０００」〜「ＥＥＥ」）を表示し、これらの大当たりの確定図柄が「３３３」「５５５」「７７７」「ＡＡＡ」を特定図柄での大当たりといい、その他の確定図柄（「０００」「１１１」「２２２」「４４４」「６６６」「８８８」「９９９」「ＢＢＢ」「ＣＣＣ」「ＤＤＤ」「ＥＥＥ」）での大当たりの場合を非特定図柄での大当たりといい、電源投入時には低確率（通常状態）に設定してあり、大当たりが生起して、確定図柄が特定図柄であるときには、大当たりが終了後、遊技者にとって有利な有利状態（当たりと大当たりを高確率で生起可能）にするものであり、図柄表示部Ｌ１〜Ｌ３の図柄変動の態様は、例えば、図柄表示部Ｌ１、Ｌ２、Ｌ３に「４、４、４」（非特定図柄の大当たり）をｔ１（＝０．４９）秒間、一旦停止表示し、その後、「５、５、５」（特定図柄の大当たりで、確定図柄）をｔ２（＝０．５１）秒間、一旦停止表示し、次に、「６、６、６」（非特定図柄の大当たり）をｔ３（＝０．４９）秒間、一旦停止表示、次に、「７、７、７」（特定図柄の大当たり）をｔ４（＝０．４９）秒間、一旦停止表示し、そして、図柄表示部Ｌ１、Ｌ２、Ｌ３を含む特別図柄表示部ＬAには、特賞デモ図柄として「おめでとう」を表示して大当たりが生起したことを遊技者に知らせ、大入賞口３０の開閉扉３０ａを開成し、大当たり（特別遊技状態）が終了した時点において、大当たり時の特賞デモ図柄表示を終了する、パチンコ機。」
                                                                  
（２）対比 　 　 
　本願補正発明と引用発明とを対比すると、両者はともにパチンコ機であって、以下のことがいえる。
　　　　　　　　　　　　　　　　　　　　　　　　　　　　　　　　　
(i) 引用発明は、「複数図柄を変動表示可能な図柄表示部」を有しており、上記「図柄表示部」は、「Ｌ１、Ｌ２、Ｌ３」から成る複数の表示部を備えているから、本願補正発明における「図柄表示装置」に対応するものであるということができ、同引用発明は、本願補正発明を特定する、「図柄を変動表示する図柄表示装置の複数の表示部」の事項に対応する構成を備えているといえる。
　さらに引用発明は、「特定図柄と非特定図柄の何れかが確定図柄として図柄表示部に表示されると特別遊技状態を生起」するものであり、「大当たりの確定図柄が「３３３」「５５５」「７７７」「ＡＡＡ」を特定図柄での大当たりといい、その他の確定図柄（「０００」「１１１」「２２２」「４４４」「６６６」「８８８」「９９９」「ＢＢＢ」「ＣＣＣ」「ＤＤＤ」「ＥＥＥ」）での大当たりの場合を非特定図柄での大当たりといい、電源投入時には低確率（通常状態）に設定してあり、大当たりが生起して、確定図柄が特定図柄であるときには、大当たりが終了後、遊技者にとって有利な有利状態（当たりと大当たりを高確率で生起可能）」にするものである。
　すなわち、同引用発明は、「複数図柄を変動表示可能な図柄表示部」（「図柄を変動表示する図柄表示装置の複数の表示部」）での停止図柄が「特定図柄」であるときには、「低確率（通常状態）」から「高確率（有利状態）」へと遊技状態を切り換える切換手段を備えている、ということができ、これを「図柄を変動表示する図柄表示装置の複数の表示部での停止図柄が所定の条件を満たした場合に、遊技状態を切り換える切換手段」を備える、と表現することができる。
　一方、本願補正発明は、「図柄を変動表示する図柄表示装置の複数の表示部での停止図柄が所定の条件を満たした場合に、図柄表示装置での図柄変動時間を通常時の長さにする第１の状態から図柄変動時間を短くする第２の状態に切り換える遊技切換手段」を備えており、これを「図柄を変動表示する図柄表示装置の複数の表示部での停止図柄が所定の条件を満たした場合に、遊技状態を切り換える切換手段」を備える、と包括的に表現することができる。
　そうすると、本願補正発明と引用発明とは、「図柄を変動表示する図柄表示装置の複数の表示部での停止図柄が所定の条件を満たした場合に、遊技状態を切り換える遊技切換手段」を備える点で共通しているといえる。
　　　　　　　　　　　　　　　　　　　　　　　　　　　　　　　　　
(ii) 引用発明は、「特別遊技状態（大当たり）」と判定されると、「図柄表示部Ｌ１、Ｌ２、Ｌ３には同じ図柄を揃える大当たり図柄（「０００」〜「ＥＥＥ」）を表示」し、「大入賞口３０の開閉扉３０ａを開成する」ことにより大当たり状態を生起するものであり、同引用発明は、実質的に、本願補正発明における「大入賞口を開放する大当たり状態を提供する大当たり遊技手段」に対応する構成を備えているということができる。
　そうすると、同引用発明は、本願補正発明を特定する「図柄表示装置の複数の表示部での各停止図柄が同一となる大当たり発生の際に、大入賞口を開放する大当たり状態を提供する大当たり遊技手段」の事項に対応する構成を備えているといえる。
　　　　　　　　　　　　　　　　　　　　　　　　　　　　　　　　　
(iii) 引用発明は、「特別遊技状態（大当たり）」と判定されると、「図柄表示部」に「同じ図柄を揃え」た状態で「一旦停止表示」を繰り返した後、「特賞デモ図柄として「おめでとう」を表示して大当たりが生起したことを遊技者に知らせ」るものであり、上記「特賞デモ図柄」は、その機能に照らすと、本願補正発明における「大当たりの発生を告知する情報表示」に対応するものということができ、同引用発明は、上記した「特賞デモ図柄」による表示を行うための表示手段を実質的に備えているということができる。
　そうすると、同引用発明は、本願補正発明を特定する「前記大当たり発生の際に、前記大当たりの発生を告知する情報表示を行う表示手段」の事項に対応する構成を備えているといえる。
　　            　　　　　　　　　　　　　　　　　　　　　　　　　
　以上の事項より、本願補正発明と引用発明とは以下の点で一致し、また、相違していると認められる。
一致点；
図柄を変動表示する図柄表示装置の複数の表示部での停止図柄が所定の条件を満たした場合に、遊技状態を切り換える切換手段と、前記図柄表示装置の複数の表示部での各停止図柄が同一となる大当たり発生の際に、大入賞口を開放する大当たり状態を提供する大当たり遊技手段とを備えたパチンコ機、である点。
　　　　　　　　　　　　　　　　　　　　　　　　　　　　　　　　　
相違点；                             　　　　　　　　　　　　　　　
(A) 切換手段が、本願補正発明では、停止図柄が所定の条件を満たした場合に、図柄表示装置での図柄変動時間を通常時の長さにする第１の状態から図柄変動時間を短くする第２の状態に切り換える遊技切換手段であるのに対して、引用発明では、停止図柄が特定図柄である場合に、低確率（通常状態）から高確率（有利状態）に切り換える切換手段である点。
　　　　　　　　　　　　　　　　　　　　　　　　　　　　　　　　　
(B) 大当たりの発生を告知する情報表示を、本願補正発明は、大当たり図柄停止から最初の大入賞口の開放前までに行うものであり、前記第２の状態から前記大当たりが発生した場合の前記表示手段での情報表示の時間を、前記第１の状態から前記大当たりが発生した場合の前記表示手段での情報表示の時間よりも短くしたのに対して、引用発明は、大当たり図柄停止から大当たり（特別遊技状態）が終了するまで表示される特賞デモ表示であり、遊技状態と情報表示の時間とは関係がない点。
　　　　　　　　　　　　　　　　　　　　　　　　　　　　　　　　　
（３）判断
　上記の相違点について検討する。
　相違点(A)について
　引用発明は、「図柄表示部」に表示される停止図柄として「特定図柄」と「非特定図柄」を備えており、停止図柄が特定図柄である場合に、低確率（通常状態）から高確率（有利状態）に切り換えるものである。
　ところで、図柄表示部に表示される停止図柄として特定図柄と非特定図柄を備えたパチンコ遊技機はよく知られており、停止図柄が特定図柄である場合に、確率を向上させて高確率状態とするとともに、図柄変動時間を通常時の状態から通常時よりも短い状態に短縮する、いわゆる時短状態に切り換えるパチンコ遊技機（周知例１）や、同じく停止図柄が特定図柄である場合に、確率を向上させて高確率状態とするか、時短状態に切り換えるかのいずれかの切り換えを行うパチンコ遊技機（周知例２、３）が例示される。
　すなわち、停止図柄が特定図柄である場合に、遊技者に付与する遊技状態として、高確率状態に切り換えたり、図柄変動時間を通常時の状態から通常時よりも短い状態に短縮する時短状態に切り換えることが、単独の切り換えとして、または両者を一括した切り換えとして、周知慣用されており、切り換えを行うための切換手段もまた、周知慣用手段である。
　さらにいえば、本願補正発明を特定する「停止図柄が所定の条件を満たした場合」の事項を裏付ける技術的事項として本願明細書の発明の詳細な説明を参照すると、「０００，１１１、２２２、３３３、４４４、５５５、６６６、７７７、８８８、９９９の大当たり図柄の内、１１１、３３３、５５５、７７７、９９９の奇数図柄が表示された際は、高確率へ移行する」（段落【００９２】）とともに、「高確率下においては、第１実施形態（注）と同様に時短動作を併せて行」（段落【００８９】）うことが記載されており、「高確率へ移行する」とともに、「時短動作を併せて行」う「奇数図柄」は、上記した周知慣用の「特定図柄」とかわるところがない。
　そうすると、上記の周知慣用手段を勘案して、引用発明における切換手段を、停止図柄が特定図柄で揃って、本願補正発明における「所定の条件を満たした場合」に、「図柄表示部」（「図柄表示装置」）での図柄変動時間を通常時の状態から図柄変動時間を短くする状態に切り換えるように構成することは単なる設計の変更にすぎず、当該設計の変更によって、同引用発明が備える「切換手段」は、実質上、本願補正発明における「図柄変動時間を通常時の長さにする第１の状態から図柄変動時間を短くする第２の状態に切り換える遊技切換手段」と同様の切換作動を行うこととなり、相違点(A)に係る本願補正発明の発明特定事項が得られることとなる。
　　　　　　　　　　　　　　　　　　　　　　　　　　　　　　　　　
（注）第１実施形態は、「大入賞口の開放を終了し、終了情報の表示」として「「○」及び「×」の判定図柄を２秒高速変動」（段落【００４５】）するもので、上記した「図柄を変動表示する図柄表示装置の複数の表示部での停止図柄が所定の条件を満たした場合」の発明特定事項を裏付ける実施形態ではない。
　　　　　　　　　　　　　　　　　　　　　　　　　　　　　　　　　
　相違点(B)について
　「相違点(A)について」において上記したように、引用発明における「切換手段」を、停止図柄が所定の条件を満たした場合に、「図柄表示部」（「図柄表示装置」）での図柄変動時間を通常時の状態（本願補正発明における「第１の状態」）から図柄変動時間を短くする状態（本願補正発明における「第２の状態」）に切り換える遊技切換手段とすることは単なる設計の変更にすぎない。
　そして、図柄変動時間を短くする状態（「第２の状態」）においては、図柄変動時間が短縮されることに伴って、遊技全体の進行速度も通常時の進行速度に比して速くなることが明らかであり、進行速度が速められた遊技における、大当たり図柄停止から最初の大入賞口が開放するまでの時間についても、遊技全体の進行速度を考慮して、図柄変動時間を短くする状態（「第２の状態」）から大当たりが発生した場合には、通常時の状態（「第１の状態」）から前記大当たりが発生した場合よりも短くすることを、当業者であれば遊技機の設計に際して適宜行うことである。
　ここで、引用発明は「特賞デモ表示」（本願補正発明における「大当たりの発生を告知する情報表示」に対応する。）を、大当たり図柄停止を契機に開始して、最初の大入賞口の開放後も続行し、大当たり（特別遊技状態）が終了するまで表示するものであるが、大当たりの発生を告知する情報表示を、大当たり図柄停止から最初の大入賞口の開放前までに行うことは、周知例４ないし６として下記に例示するとおり周知技術であり、引用発明における「特賞デモ表示」（「大当たりの発生を告知する情報表示」）を、大当たり図柄停止から最初の大入賞口の開放前までに行うことも単なる設計事項にすぎない。
　以上を総合勘案すると、引用発明における「特賞デモ表示」（「大当たりの発生を告知する情報表示」）を、大当たり図柄停止から最初の大入賞口の開放前までに行うとともに、図柄変動時間が短縮された状態（「第２の状態」）から前記大当たりが発生した場合の上記表示時間を、通常時の状態（「第１の状態」）から前記大当たりが発生した場合の上記表示時間より短く設定することは、当業者であれば容易に想到することができたものである。
　　　　　　　　　　　　　　　　　　　　　　　　　　　　　　　　　
　そして、相違点(A)及び(B)に係る発明特定事項を備えた本願補正発明の効果も、引用発明及び周知技術が本来奏する効果から当業者が予測し得る範囲内のものであって、格別顕著なものとはいえない。
　したがって、本願補正発明は、引用発明及び周知技術に基いて、当業者が容易に発明をすることができたものであるから、特許法第２９条第２項の規定により特許出願の際独立して特許を受けることができない。
　　　　　　　　　　　　　　　　　　　　　　　　　　　　　　　　　
【周知例】
周知例１：特開平１０−１３７３９８号公報
　特図変動表示装置における可変表示ゲームにおいて、「７７７」や「３３３」等の特定図柄で揃った場合には、特別遊技を行った後の遊技における大当たり確率を上昇させた確変モード、及び可変表示ゲームの実行時間を短縮させる時短モードを設定する、パチンコ遊技機。（段落【００２１】−【００２３】）
　　　　　　　　　　　　　　　　　　　　　　　　　　　　　　　　　
周知例２：特開平１１−２３９６３８号公報
　停止図柄の組合せが特定図柄の揃ったものである場合に、大当りが発生するとともに高確率の状態になる確率変動機能を有する確変機、または、所定回数だけ図柄変動時間を短縮する時短機に適用される、パチンコ遊技機における停止図柄の組合せ。（段落【０００１】【００２４】【００４３】）
　　　　　　　　　　　　　　　　　　　　　　　　　　　　　　　　　
周知例３：特開平１１−４３８号公報
　大当たりの出目のパターンを構成する図柄を特定図柄と非特定図柄に分け、大当たりの出目のパターンが特定図柄のぞろ目パターンであるときには、確率変動状態または時短機能起動状態にするパチンコ機。（特許請求の範囲の請求項１、請求項３、段【００１４】落【００３３】）
　　　　　　　　　　　　　　　　　　　　　　　　　　　　　　　　　
周知例４：特開平９−９９１３５号公報
　特図の可変表示遊技で、大当り図柄で停止した時、大当りのファンファーレ処理から所定時間後の大当り処理の開始までのファンファーレ時に、デモ表示を行う遊技機。（段落【００６６】【００８４】【０１３５】−【０１４３】、図４、図１２、図１６）
　　　　　　　　　　　　　　　　　　　　　　　　　　　　　　　　　
周知例５：特開平２−１９５９７７号公報
　初回の大入賞口の開放開始前の所定時間（３．４９７秒）に、ドットマトリクス型表示器に「さすが名人大当り」の文字テロップを表示し、初回の大入賞口の開放開始時までこの表示を維持する、パチンコ遊技機。（第３頁左上欄第３−４行、第９頁左上欄第３−８行）
　　　　　　　　　　　　　　　　　　　　　　　　　　　　　　　　　
周知例６：特開平４−１０２４８７号公報
　大当りが発生したと判断されてから、実際に大入賞口が開放されるまでの大当りウエイトタイム中にメッセージなどを表示して、“大当り”発生による大入賞口の開放が間もなく行われることを遊技者に知らせるパチンコ遊技機。（第１８頁左上欄第２０行−右上欄第１０行、第２０図、第２１図）
　　　　　　　　　　　　　　　　　　　　　　　　　　　　　　　　　
（４）むすび
　以上のとおり、本件補正は、平成１５年改正前の特許法第１７条の２第５項において準用する同法第１２６条第４項の規定に違反するものであり、特許法第１５９条第１項の規定において読み替えて準用する同法第５３条第１項の規定により却下されるべきものである。
　　　　　　　　　　　　　　　　　　　　　　　　　　　　　　　　　
３．本願発明について
　平成１５年６月２４日付けの手続補正は上記のとおり却下されたので、本願の請求項１に係る発明（以下、「本願発明」という。）は、平成１５年４月１日付け手続補正書の特許請求の範囲の請求項１に記載された事項により特定される、以下のとおりのものである。
「図柄が所定の条件を満たした場合に、複数の表示部にて図柄を変動表示する図柄表示装置での図柄変動時間を通常時の長さにする第１の状態から図柄変動時間を短くする第２の状態に切り換える遊技切換手段と、前記図柄表示装置での停止図柄が大当たり図柄になった大当たりの際に、大入賞口を開放する大当たり状態を提供する大当たり遊技手段と、大入賞口の開放前又は大入賞口の開放終了後に前記大当たり状態に関する情報表示を行う表示手段とを備えた遊技機において、
　前記第２の状態から前記大当たり状態になった場合の前記表示手段での情報表示の時間を、前記第１の状態から前記大当たり状態になった場合の前記表示手段での情報表示の時間よりも短くしたことを特徴とする遊技機。」
　　　　　　　　　　　　　　　　　　　　　　　　　　　　　　　　　
（１）引用発明
　原査定の拒絶の理由に引用された引用例、および、その記載事項は、前記「２．（１）」に記載したとおりである。
　　　　　　　　　　　　　　　　　　　　　　　　　　　　　　　　　
（２）対比・判断
　本願発明は、前記２．で検討した本願補正発明における、「図柄を変動表示する図柄表示装置の複数の表示部での停止図柄が所定の条件を満たした場合」を「図柄が所定の条件を満たした場合」と、より広義な概念で特定するとともに、「前記図柄表示装置の複数の表示部での各停止図柄が同一となる大当たり発生の際に」を「前記図柄表示装置での停止図柄が大当たり図柄になった大当たりの際に」と、「前記大当たり発生の際に、大当たり図柄停止から最初の大入賞口の開放前までに前記大当たりの発生を告知する情報表示を行う表示手段」を「大入賞口の開放前又は大入賞口の開放終了後に前記大当たり状態に関する情報表示を行う表示手段」と、「パチンコ機」を「遊技機」と、「大当たりが発生した場合」を「大当たり状態になった場合」と、それぞれより広義な概念で特定するものである。
　そうすると、本願補正発明における発明特定事項を全て含み、さらに他の発明特定事項を付加したものに相当する本願補正発明が、前記「２．（３）」に記載したとおり、引用発明１及び周知技術に基いて、当業者が容易に発明をすることができたものであるから、限定事項を省いてより広義な概念で特定される本願発明も、引用発明１及び周知技術に基いて当業者が容易に発明をすることができたものである。
　　　　　　　　　　　　　　　　　　　　　　　　　　　　　　　　　
（３）むすび
　以上のとおり、本願発明は、引用発明１及び周知技術に基づいて当業者が容易に発明をすることができたものであるから、特許法第２９条第２項の規定により特許を受けることができない。
　よって、本願の他の請求項について論じるまでもなく、結論のとおり審決する。